【手続補正書】
【提出日】令和3年10月15日(2021.10.15)
【手続補正１】
【補正対象書類名】明細書
【補正対象項目名】発明の名称
【補正方法】変更
【補正の内容】
【発明の名称】車両用表示装置、車両、表示方法及びプログラム
【手続補正２】
【補正対象書類名】明細書
【補正対象項目名】０００１
【補正方法】変更
【補正の内容】
【０００１】
本発明は、車両用表示装置、車両、表示方法及びプログラムに関する。
【手続補正３】
【補正対象書類名】明細書
【補正対象項目名】０００５
【補正方法】変更
【補正の内容】
【０００５】
本発明は上記事実を考慮し、運転支援のための重畳表示時における障害物の視認性を向上させることができる車両用表示装置、車両、表示方法及びプログラムを得ることを目的とする。
【手続補正４】
【補正対象書類名】明細書
【補正対象項目名】０００６
【補正方法】変更
【補正の内容】
【０００６】
請求項１に記載の本発明に係る車両用表示装置は、前記車両の室内に設けられた表示領域に、前記車両の前方に存在する車線の情報を表示させる表示部と、前記車両の前方に存在する障害物を検知する検知部と、前記表示領域において、前記検知部により検知された障害物の少なくとも一部の上に前記車線の情報が重なって表示される場合には、前記表示部による前記車線の情報の表示を制限させる表示制御部と、を有する。
【手続補正５】
【補正対象書類名】明細書
【補正対象項目名】０００７
【補正方法】変更
【補正の内容】
【０００７】
請求項１に記載の本発明によれば、表示部によって車両の運転席前方の表示領域に車両前方の車線の情報が表示される。これにより、車両前方の実景に車線の情報が重畳表示され、運転者に対する運転支援を行うことができる。
【手続補正６】
【補正対象書類名】明細書
【補正対象項目名】０００８
【補正方法】変更
【補正の内容】
【０００８】
また、検知部によって車両の前方の障害物が検知される。車線の情報が障害物の上に重なって表示される場合には、表示制御部によって、表示部による車線の情報の表示が制限される。これにより、障害物に重なる場合には車線の情報の表示が制限されるので、運転者は、車線の情報の表示に阻害されることなく障害物を視認することができる。このため、運転支援のための重畳表示時における障害物の視認性を向上させることができる。
請求項２に記載の本発明に係る車両用表示装置は、請求項１に記載の発明において、前記車線の情報は、前記車線の幅を画定する区画線の情報、前記車両が走行可能な部分の位置又は幅についての情報、前記車線の種別を示す情報及び前記車線における交通規則に関する情報のうち、少なくともいずれか１つである。
請求項３に記載の本発明に係る車両用表示装置は、請求項１又は請求項２に記載の発明において、前記表示制御部は、前記障害物と重なる部分の前記車線の情報を非表示とすることにより、前記表示部による前記車線の情報の表示を制限させる。
請求項４に記載の本発明に係る車両用表示装置は、請求項１又は請求項２に記載の発明において、前記表示制御部は、前記障害物と重なる部分における前記車線の情報の画像の透明度を上げることにより、前記表示部による前記車線の情報の表示を制限させる。
請求項５に記載の本発明に係る車両用表示装置は、請求項１又は請求項２に記載の発明において、前記表示制御部は、前記障害物と重なる部分における前記車線の情報の画像を塗りつぶしによる表示から細い線のみの表示に変更することにより、前記表示部による前記車線の情報の表示を制限させる。
請求項６に記載の本発明に係る車両用表示装置は、請求項１又は請求項２に記載の発明において、前記表示制御部は、前記車線の情報の全体の表示を制限することにより、前記表示部による前記車線の情報の表示を制限させる。
請求項７に記載の本発明に係る車両用表示装置は、請求項１乃至請求項６のいずれか１項に記載の発明において、前記表示制御部は、前記車線の情報が前記障害物の少なくとも一部の上に重なって表示される場合には、さらに前記障害物を強調表示させる。
請求項８に記載の本発明に係る車両用表示装置は、請求項１乃至請求項７のいずれか１項に記載の発明において、前記表示領域は、前記車両のウインドシールドである。
請求項９に記載の本発明に係る車両は、前方に存在する車線の情報を、車室内に設けられた表示領域に表示する表示部と、前方に存在する障害物を検知する検知部と、前記表示領域において、前記検知部により検知された障害物の少なくとも一部の上に前記車線の情報が重なって表示される場合には、前記表示部による前記車線の情報の表示を制限させる表示制御部と、を有する。
請求項１０に記載の本発明に係る表示方法は、車両の室内に設けられた表示領域に、前記車両の前方に存在する車線の情報を表示させ、前記車両の前方に存在する障害物を検知し、前記表示領域において、検知された前記障害物の少なくとも一部の上に前記車線の情報が重なって表示される場合には、前記車線の情報の表示を制限させる、処理をコンピュータが実行する。
請求項１１に記載の本発明に係るプログラムは、車両の室内に設けられた表示領域に、前記車両の前方に存在する車線の情報を表示させ、前記車両の前方に存在する障害物を検知し、前記表示領域において、検知された前記障害物の少なくとも一部の上に前記車線の情報が重なって表示される場合には、前記車線の情報の表示を制限させる、処理をコンピュータに実行させる。
【手続補正７】
【補正対象書類名】明細書
【補正対象項目名】０００９
【補正方法】変更
【補正の内容】
【０００９】
以上説明したように、本発明に係る車両用表示装置、車両、表示方法及びプログラムは、運転支援のための重畳表示時における障害物の視認性を向上させることができるという優れた効果を有する。
【手続補正８】
【補正対象書類名】特許請求の範囲
【補正対象項目名】全文
【補正方法】変更
【補正の内容】
【特許請求の範囲】
【請求項１】
車両の室内に設けられた表示領域に、前記車両の前方に存在する車線の情報を表示させる表示部と、
前記車両の前方に存在する障害物を検知する検知部と、
前記表示領域において、前記検知部により検知された障害物の少なくとも一部の上に前記車線の情報が重なって表示される場合には、前記表示部による前記車線の情報の表示を制限させる表示制御部と、
を有する車両用表示装置。
【請求項２】
前記車線の情報は、前記車線の幅を画定する区画線の情報、前記車両が走行可能な部分の位置又は幅についての情報、前記車線の種別を示す情報及び前記車線における交通規則に関する情報のうち、少なくともいずれか１つである、請求項１に記載の車両用表示装置。
【請求項３】
前記表示制御部は、前記障害物と重なる部分の前記車線の情報を非表示とすることにより、前記表示部による前記車線の情報の表示を制限させる、請求項１又は請求項２に記載の車両用表示装置。
【請求項４】
前記表示制御部は、前記障害物と重なる部分における前記車線の情報の画像の透明度を上げることにより、前記表示部による前記車線の情報の表示を制限させる、請求項１又は請求項２に記載の車両用表示装置。
【請求項５】
前記表示制御部は、前記障害物と重なる部分における前記車線の情報の画像を塗りつぶしによる表示から細い線のみの表示に変更することにより、前記表示部による前記車線の情報の表示を制限させる、請求項１又は請求項２に記載の車両用表示装置。
【請求項６】
前記表示制御部は、前記車線の情報の全体の表示を制限することにより、前記表示部による前記車線の情報の表示を制限させる、請求項１又は請求項２に記載の車両用表示装置。
【請求項７】
前記表示制御部は、前記車線の情報が前記障害物の少なくとも一部の上に重なって表示される場合には、さらに前記障害物を強調表示させる、請求項１乃至請求項６のいずれか１項に記載の車両用表示装置。
【請求項８】
前記表示領域は、前記車両のウインドシールドである、請求項１乃至請求項７のいずれか１項に記載の車両用表示装置。
【請求項９】
前方に存在する車線の情報を、車室内に設けられた表示領域に表示する表示部と、
前方に存在する障害物を検知する検知部と、
前記表示領域において、前記検知部により検知された障害物の少なくとも一部の上に前記車線の情報が重なって表示される場合には、前記表示部による前記車線の情報の表示を制限させる表示制御部と、
を有する車両。
【請求項１０】
車両の室内に設けられた表示領域に、前記車両の前方に存在する車線の情報を表示させ、
前記車両の前方に存在する障害物を検知し、
前記表示領域において、検知された前記障害物の少なくとも一部の上に前記車線の情報が重なって表示される場合には、前記車線の情報の表示を制限させる、
処理をコンピュータが実行する表示方法。
【請求項１１】
車両の室内に設けられた表示領域に、前記車両の前方に存在する車線の情報を表示させ、
前記車両の前方に存在する障害物を検知し、
前記表示領域において、検知された前記障害物の少なくとも一部の上に前記車線の情報が重なって表示される場合には、前記車線の情報の表示を制限させる、
処理をコンピュータに実行させるプログラム。